【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
情報処理装置と、前記情報処理装置から送信される印刷データを受信して印刷処理する印刷装置を有する印刷システムにおいて、
前記情報処理装置は、
前記情報処理装置が実行可能なアプリケーションにより利用可能なアプリケーションデータを保持する第１の保持手段と、
印刷条件を設定する設定手段と、
前記第１の保持手段に保持された前記アプリケーションデータと前記設定手段により設定された前記印刷条件に基づいて前記印刷データを生成する生成手段と、
前記生成手段が生成した印刷データを前記印刷装置に送信する送信手段と、
前記印刷装置から前記第１の保持手段に保持されたアプリケーションデータに基づく再印刷を実行させるための再印刷要求を受信した場合に、前記アプリケーションデータに基づく印刷データを前記送信手段に送信させるよう制御する第１の制御手段と、を有し、
前記印刷装置は、
前記送信手段が送信した印刷データを受信する受信手段と、
前記受信手段が受信した印刷データを保持する第２の保持手段と、
前記受信手段により受信された印刷データに基づいて、印刷処理を実行する印刷手段と、
前記印刷データに基づく再印刷を実行するにあたって、前記設定手段により設定された印刷条件を変更する変更手段と、
前記変更手段により変更される印刷条件に応じて、前記第１の保持手段に保持されたアプリケーションデータに基づく再印刷を実行するか、前記第２の保持手段に保持された印刷データに基づく再印刷を実行するかを選択する選択手段と、
前記選択手段が、前記アプリケーションデータに基づく再印刷の実行を選択した場合は前記再印刷要求を前記情報処理装置に送信し、前記印刷データに基づく再印刷の実行を選択した場合は前記第２の保持手段に保持された印刷データに基づく再印刷を行うよう制御する第２の制御手段と、
を有することを特徴とする印刷システム。
【請求項２】
前記選択手段は、前記変更手段により変更される印刷条件がページレイアウトに関するものである場合に、前記第１の保持手段に保持されたアプリケーションデータに基づく再印刷を実行することを選択する、ことを特徴とする請求項１に記載の印刷システム。
【請求項３】
前記印刷装置は、前記印刷手段にて印刷処理された印刷データに関する履歴情報に基づいて再印刷に対応する印刷データを特定する特定情報を抽出する抽出手段を有し、
前記第２の制御手段は、前記選択手段が、前記アプリケーションデータに基づく再印刷の実行を選択した場合に、前記抽出手段が抽出した特定情報を含む前記再印刷要求を前記情報処理装置に送信し、
前記第１の制御手段は、前記特定情報を含む前記再印刷要求を受信した場合に、前記再印刷要求に含まれる前記特定情報に対応する前記アプリケーションデータに基づく印刷データを前記送信手段に送信させるよう制御する、ことを特徴とする請求項１又は２に記載の印刷システム。
【請求項４】
前記第１の制御手段は、前記印刷装置から前記再印刷要求を受信したことに応じて、前記生成手段が前記アプリケーションデータに基づいて印刷データを生成可能な状態にする、ことを特徴とする請求項１乃至３のいずれか１項に記載の印刷システム。
【請求項５】
前記第１の制御手段は、前記印刷装置から受信した前記再印刷要求に前記印刷条件を変更するための変更情報が含まれている場合に、前記変更情報に対応する印刷データを前記生成手段に生成させる、ことを特徴とする請求項１乃至４のいずれか１項に記載の印刷システム。
【請求項６】
前記第１の保持手段は、予め設定される保持データ数又はメモリ資源の空き容量に基づいてデータの保持を制限し、
前記第２の保持手段は、予め設定される保持データ数又はメモリ資源の空き容量に基づいてデータの保持を制限する、ことを特徴とする請求項１乃至５のいずれか１項に記載の印刷システム。
【請求項７】
アプリケーションデータを保持する第１の保持手段を有する情報処理装置から印刷条件が設定された印刷データを受信して印刷処理する印刷装置において、
前記情報処理装置から印刷データを受信する受信手段と、
前記受信手段が受信した印刷データを保持する第２の保持手段と、
前記受信手段により受信された印刷データに基づいて、印刷処理を実行する印刷手段と、
前記印刷データに基づく再印刷を実行するにあたって、前記設定された印刷条件を変更する変更手段と、
前記変更手段により変更される印刷条件に応じて、前記第１の保持手段に保持されたアプリケーションデータに基づく再印刷を実行するか、前記第２の保持手段に保持された印刷データに基づく再印刷を実行するかを選択する選択手段と、
前記選択手段が、前記アプリケーションデータに基づく再印刷の実行を選択した場合は再印刷要求を前記情報処理装置に送信し、前記印刷データに基づく再印刷の実行を選択した場合は前記第２の保持手段に保持された印刷データに基づく再印刷を行うよう制御する制御手段とを有することを特徴とする印刷装置。
【請求項８】
前記選択手段は、前記変更手段により変更される印刷条件がページレイアウトに関するものである場合に、前記第１の保持手段に保持されたアプリケーションデータに基づく再印刷を実行することを選択する、ことを特徴とする請求項７に記載の印刷装置。
【請求項９】
前記印刷手段にて印刷処理された印刷データに関する履歴情報に基づいて再印刷に対応する印刷データを特定する特定情報を抽出する抽出手段を有し、
前記制御手段は、前記選択手段が、前記アプリケーションデータに基づく再印刷の実行を選択した場合に、前記抽出手段が抽出した特定情報を含む前記再印刷要求を前記情報処理装置に送信する、ことを特徴とする請求項７又は８に記載の印刷装置。
【請求項１０】
前記第１の保持手段は、予め設定される保持データ数又はメモリ資源の空き容量に基づいてデータの保持を制限し、
前記第２の保持手段は、予め設定される保持データ数又はメモリ資源の空き容量に基づいてデータの保持を制限する、ことを特徴とする請求項７乃至９のいずれか１項に記載の印刷装置。
【請求項１１】
情報処理装置と、前記情報処理装置から送信される印刷データを受信して印刷処理する印刷装置を有する印刷システムにおける再印刷制御方法であって、
前記情報処理装置が、前記情報処理装置が実行可能なアプリケーションにより利用可能なアプリケーションデータを第１の保持手段に保持する第１の保持ステップと、
前記情報処理装置が、印刷条件を設定する設定ステップと、
前記情報処理装置が、前記第１の保持手段に保持された前記アプリケーションデータと前記設定ステップにて設定された前記印刷条件に基づいて前記印刷データを生成する生成ステップと、
前記情報処理装置が、前記生成ステップで生成した印刷データを前記印刷装置に送信する送信ステップと、
前記情報処理装置が、前記印刷装置から前記第１の保持手段に保持されたアプリケーションデータに基づく再印刷を実行させるための再印刷要求を受信した場合に、前記アプリケーションデータに基づく印刷データを前記送信ステップにて送信させるよう制御する第１の制御ステップと、を有し、
前記印刷装置が、前記送信ステップにて送信した印刷データを受信する受信ステップと、
前記印刷装置が、前記受信ステップで受信した印刷データを第２の保持手段に保持する第２の保持ステップと、
前記印刷装置が、前記受信ステップにより受信された印刷データに基づいて、印刷処理を実行する印刷ステップと、
前記印刷装置が、前記印刷データに基づく再印刷を実行するにあたって、前記設定ステップにて設定された印刷条件を変更する変更ステップと、
前記印刷装置が、前記変更ステップにより変更される印刷条件に応じて、前記第１の保持手段に保持されたアプリケーションデータに基づく再印刷を実行するか、前記第２の保持手段に保持された印刷データに基づく再印刷を実行するかを選択する選択ステップと、
前記印刷装置が、前記選択ステップで、前記アプリケーションデータに基づく再印刷の実行を選択した場合は前記再印刷要求を前記情報処理装置に送信し、前記印刷データに基づく再印刷の実行を選択した場合は前記第２の保持手段に保持された印刷データに基づく再印刷を行うよう制御する第２の制御ステップと、
を有することを特徴とする再印刷制御方法。
【手続補正２】
【補正対象書類名】明細書
【補正対象項目名】発明の名称
【補正方法】変更
【補正の内容】
【発明の名称】印刷システム及び印刷装置及び再印刷制御方法
【手続補正３】
【補正対象書類名】明細書
【補正対象項目名】００１３
【補正方法】変更
【補正の内容】
【００１３】
本発明は、情報処理装置と、前記情報処理装置から送信される印刷データを受信して印刷処理する印刷装置を有する印刷システムにおいて、前記情報処理装置は、前記情報処理装置が実行可能なアプリケーションにより利用可能なアプリケーションデータを保持する第１の保持手段と、印刷条件を設定する設定手段と、前記第１の保持手段に保持された前記アプリケーションデータと前記設定手段により設定された前記印刷条件に基づいて前記印刷データを生成する生成手段と、前記生成手段が生成した印刷データを前記印刷装置に送信する送信手段と、前記印刷装置から前記第１の保持手段に保持されたアプリケーションデータに基づく再印刷を実行させるための再印刷要求を受信した場合に、前記アプリケーションデータに基づく印刷データを前記送信手段に送信させるよう制御する第１の制御手段と、を有し、前記印刷装置は、前記送信手段が送信した印刷データを受信する受信手段と、前記受信手段が受信した印刷データを保持する第２の保持手段と、前記受信手段により受信された印刷データに基づいて、印刷処理を実行する印刷手段と、前記印刷データに基づく再印刷を実行するにあたって、前記設定手段により設定された印刷条件を変更する変更手段と、前記変更手段により変更される印刷条件に応じて、前記第１の保持手段に保持されたアプリケーションデータに基づく再印刷を実行するか、前記第２の保持手段に保持された印刷データに基づく再印刷を実行するかを選択する選択手段と、前記選択手段が、前記アプリケーションデータに基づく再印刷の実行を選択した場合は前記再印刷要求を前記情報処理装置に送信し、前記印刷データに基づく再印刷の実行を選択した場合は前記第２の保持手段に保持された印刷データに基づく再印刷を行うよう制御する第２の制御手段と、を有することを特徴とする。
【手続補正４】
【補正対象書類名】明細書
【補正対象項目名】００１４
【補正方法】変更
【補正の内容】
【００１４】
また、本発明は、アプリケーションデータを保持する第１の保持手段を有する情報処理装置から印刷条件が設定された印刷データを受信して印刷処理する印刷装置において、前記情報処理装置から印刷データを受信する受信手段と、前記受信手段が受信した印刷データを保持する第２の保持手段と、前記受信手段により受信された印刷データに基づいて、印刷処理を実行する印刷手段と、前記印刷データに基づく再印刷を実行するにあたって、前記設定された印刷条件を変更する変更手段と、前記変更手段により変更される印刷条件に応じて、前記第１の保持手段に保持されたアプリケーションデータに基づく再印刷を実行するか、前記第２の保持手段に保持された印刷データに基づく再印刷を実行するかを選択する選択手段と、前記選択手段が、前記アプリケーションデータに基づく再印刷の実行を選択した場合は再印刷要求を前記情報処理装置に送信し、前記印刷データに基づく再印刷の実行を選択した場合は前記第２の保持手段に保持された印刷データに基づく再印刷を行うよう制御する制御手段とを有することを特徴とする。
【手続補正５】
【補正対象書類名】明細書
【補正対象項目名】０１６５
【補正方法】変更
【補正の内容】
【０１６５】
一方、ステップＳ１６０２で、ＣＰＵ１２が、「プリンタの操作部から再実行要求を入力する」ボタン１２０２が選択されたと判定した場合には、ステップＳ１６０４に処理を進める。